【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
互いに暗号通信を行なう第１制御手段と第２制御手段とを備えた遊技用装置を有する遊技用システムであって、
認証方式の異なる複数種類の相互認証処理を前記第１制御手段と前記第２制御手段との間で行なう相互認証処理手段と、
該相互認証処理手段による各相互認証の単独での認証結果が不適正な場合および各相互認証の単独での認証結果が適正な場合に該単独での認証結果を認証相手の制御手段に通知せず、前記複数種類の相互認証すべてを実行した認証結果を総括して、認証相手の制御手段に通知する総括通知手段とを含み、
前記相互認証処理手段は、前記総括通知手段により総括して通知された認証結果が不適正な場合には、当該通知がなされた後に、前記複数種類の相互認証処理を前記第１制御手段と前記第２制御手段との間で再度行なう再認証処理を実行し、
前記第１制御手段は、前記相互認証処理手段による前記再認証処理の結果が不適正である場合に、管理用のサーバへ異常発生の通知を行なう、遊技用システム。
【請求項２】
互いに暗号通信を行なう第１制御手段と第２制御手段とを備え、対応する遊技機を動作させるための遊技用装置であって、
認証方式の異なる複数種類の相互認証処理を前記第１制御手段と前記第２制御手段との間で行なう相互認証処理手段と、
該相互認証処理手段による各相互認証の単独での認証結果が不適正な場合および各相互認証の単独での認証結果が適正な場合に該単独での認証結果を認証相手の制御手段に通知せず、前記複数種類の相互認証すべてを実行した認証結果を総括して、認証相手の制御手段に通知する総括通知手段とを含み、
前記相互認証処理手段は、前記総括通知手段により総括して通知された認証結果が不適正な場合には、当該通知がなされた後に、前記複数種類の相互認証処理を前記第１制御手段と前記第２制御手段との間で再度行なう再認証処理を実行し、
前記第１制御手段は、前記相互認証処理手段による前記再認証処理の結果が不適正である場合に、管理用のサーバへ異常発生の通知を行なう、遊技用装置。
【手続補正２】
【補正対象書類名】明細書
【補正対象項目名】発明の名称
【補正方法】変更
【補正の内容】
【発明の名称】遊技用システムおよび遊技用装置
【手続補正３】
【補正対象書類名】明細書
【補正対象項目名】０００１
【補正方法】変更
【補正の内容】
【０００１】
本発明は、互いに暗号通信を行なう第１制御手段と第２制御手段とを備えた遊技用装置を有する遊技用システムおよび遊技用装置に関する。
【手続補正４】
【補正対象書類名】明細書
【補正対象項目名】０００８
【補正方法】変更
【補正の内容】
【０００８】
（１）  本発明は、互いに暗号通信を行なう第１制御手段と第２制御手段（ＣＵ制御部３２３とセキュリティチップ３２５ｂ、セキュリティチップ３２５ｂと通信制御ＩＣ３２５ａ、またはＣＵ３、Ｐ台２、ジェットカウンタ、ＰＯＳ端末のうちのいずれか２つの組合わせ）とを備えた遊技用装置を有する遊技用システムであって、
認証方式の異なる複数種類の相互認証処理を前記第１制御手段と前記第２制御手段との間で行なう相互認証処理手段（図１２３の機器認証シーケンスと基板シリアルＩＤ認証シーケンス、図１４８の第１認証シーケンス〜第３認証シーケンス）と、
該相互認証処理手段による各相互認証の単独での認証結果が不適正な場合および各相互認証の単独での認証結果が適正な場合に該単独での認証結果を認証相手の制御手段に通知せず、前記複数種類の相互認証すべてを実行した認証結果を総括して、認証相手の制御手段に通知する総括通知手段（図１３２：機器認証シーケンス後の基板認証結果通知で基板シリアルＩＤ認証と機器認証の認証結果を通知する。図１４８：第１認証シーケンス〜第３認証シーケンスまでの認証シーケンスを総括して通知する）とを含み、
前記相互認証処理手段は、前記総括通知手段により総括して通知された認証結果が不適正な場合には、当該通知がなされた後に、前記複数種類の相互認証処理を前記第１制御手段と前記第２制御手段との間で再度行なう再認証処理を実行し（図１３３：応答がＮＧの場合最大２回リトライする。図１４８：第１認証シーケンス〜第３認証シーケンスまでの認証シーケンスを最大２回リトライする）、
前記第１制御手段は、前記相互認証処理手段による前記再認証処理の結果が不適正である場合に、管理用のサーバへ異常発生の通知を行なう。
【手続補正５】
【補正対象書類名】明細書
【補正対象項目名】００１８
【補正方法】変更
【補正の内容】
【００１８】
（５）  本発明の他の態様は、互いに暗号通信を行なう第１制御手段と第２制御手段（ＣＵ制御部３２３とセキュリティチップ３２５ｂ、セキュリティチップ３２５ｂと通信制御ＩＣ３２５ａ）とを備え、対応する遊技機を動作させるための遊技用装置（ＣＵ３、Ｐ台２、ジェットカウンタ、ＰＯＳ端末等）であって、
認証方式の異なる複数種類の相互認証処理を前記第１制御手段と前記第２制御手段との間で行なう相互認証処理手段（図１２３の機器認証シーケンスと基板シリアルＩＤ認証シーケンス、図１４８の第１認証シーケンス〜第３認証シーケンス）と、
該相互認証処理手段による各相互認証の単独での認証結果が不適正な場合および各相互認証の単独での認証結果が適正な場合に該単独での認証結果を認証相手の制御手段に通知せず、前記複数種類の相互認証すべてを実行した認証結果を総括して、認証相手の制御手段に通知する総括通知手段（図１３２：機器認証シーケンス後の基板認証結果通知で基板シリアルＩＤ認証と機器認証の認証結果を通知する。図１４８：第１認証シーケンス〜第３認証シーケンスまでの認証シーケンスを総括して通知する）とを含み、
前記相互認証処理手段は、前記総括通知手段により総括して通知された認証結果が不適正な場合には、当該通知がなされた後に、前記複数種類の相互認証処理を前記第１制御手段と前記第２制御手段との間で再度行なう再認証処理を実行し（図１３３：応答がＮＧの場合最大２回リトライする。図１４８：第１認証シーケンス〜第３認証シーケンスまでの認証シーケンスを最大２回リトライする）、
前記第１制御手段は、前記相互認証処理手段による前記再認証処理の結果が不適正である場合に、管理用のサーバへ異常発生の通知を行なう。
【手続補正６】
【補正対象書類名】明細書
【補正対象項目名】００２２
【補正方法】変更
【補正の内容】
【００２２】
（６）  上記（５）の遊技用装置において、前記相互認証処理手段による前記再認証処理の結果が不適正であることを条件として、前記第１制御手段と前記第２制御手段とによる以降の処理を停止する停止手段（図１３３：以降の通信を行なわない。図１４８：リセット待ちとする）をさらに含む。
【手続補正７】
【補正対象書類名】明細書
【補正対象項目名】００２４
【補正方法】変更
【補正の内容】
【００２４】
（７）  上記（５）または（６）の遊技用装置において、前記相互認証処理手段による前記再認証処理の結果が不適正であることを条件として、管理用のサーバへ異常発生の通知を行なうための処理を実行する異常通知処理手段（図１４８：「通信制御ＩＣ認証異常」を上位装置に通知）をさらに含む。
【手続補正８】
【補正対象書類名】明細書
【補正対象項目名】００２６
【補正方法】変更
【補正の内容】
【００２６】
（８）  上記（５）〜（７）のいずれかの遊技用装置において、前記相互認証処理手段は、
前記第２制御手段においてチャレンジコードを生成して前記第１制御手段に送信し、該第１制御手段において記憶している識別情報を用いて受信したチャレンジコードからレスポンスコードを生成して前記第２制御手段へ返信し、前記第２制御手段において、記憶している識別情報を用いて前記受信したレスポンスコードの適否を判定する第１チャレンジレスポンス認証処理（図１４６の第１認証シーケンス）と、
前記第１制御手段においてチャレンジコードを生成して前記第２制御手段に送信し、該第２制御手段において記憶している識別情報を用いて受信したチャレンジコードからレスポンスコードを生成して前記第１制御手段へ返信し、前記第１制御手段において、記憶している識別情報を用いて前記受信したレスポンスコードの適否を判定する第２チャレンジレスポンス認証処理（図１４６の第２認証シーケンス）とを行なう。